(57)【要約】  本発明に係る空気調和機の室外機は、上下方向に配置された上側熱交換器及び下側熱交換器を有する熱交換器と、冷媒を貯留するアキュームレータと、前記熱交換器を収容する送風室と、前記アキュームレータを収容する機械室とに、内部が仕切板で仕切られた筐体と、前記熱交換器及び前記アキュームレータに固定され、前記アキュームレータを前記熱交換器に固定する固定部品と、を備え、前記固定部品は、前記上側熱交換器及び前記下側熱交換器の双方に固定されている。
2019097614.tif 000002
【特許請求の範囲】
【請求項１】
上下方向に配置された上側熱交換器及び下側熱交換器を有する熱交換器と、
冷媒を貯留するアキュームレータと、
前記熱交換器を収容する送風室と、前記アキュームレータを収容する機械室とに、内部が仕切板で仕切られた筐体と、
前記熱交換器及び前記アキュームレータに固定され、前記アキュームレータを前記熱交換器に固定する固定部品と、
を備え、
前記固定部品は、前記上側熱交換器及び前記下側熱交換器の双方に固定されている空気調和機の室外機。
【請求項２】
前記上側熱交換器は、前記機械室側の端部に、第１端板を備え、
前記下側熱交換器は、前記機械室側の端部に、第２端板を備え、
前記固定部品は、前記第１端板にネジ止めで固定されていると共に、前記第２端板にもネジ止めで固定されている請求項１に記載の空気調和機の室外機。
【請求項３】
前記筐体の下面部と前記アキュームレータの下面部とに固定され、前記アキュームレータを下方から支持する支持部品を備えた請求項１又は請求項２に記載の空気調和機の室外機。
【請求項４】
前記固定部品は、前記アキュームレータに固定された第１固定部品と、該第１固定部品及び前記熱交換器に固定された第２固定部品とを備え、
前記第１固定部品及び前記第２固定部品のうちの一方には、開口部が形成され、
前記第１固定部品及び前記第２固定部品のうちの他方は、前記開口部に引っ掛かる爪部を備えた請求項１〜請求項３のいずれか一項に記載の空気調和機の室外機。
【発明の詳細な説明】
【技術分野】
【０００１】
本発明は空気調和機の室外機に関するものであり、詳しくは空気調和機の室外機に搭載されているアキュームレータの固定構造に関するものである。
【背景技術】
【０００２】
一般的な空気調和機の室外機には、運転時の余剰冷媒を貯留するアキュームレータが搭載されたものがある。特に、複数台の室内機の個別制御を可能としている空気調和機の室外機には、運転時の余剰冷媒を貯留するアキュームレータが搭載されている。一般的に、空気調和機の室外機の筐体内部は、仕切板により、熱交換器等が収容された送風室と、圧縮機等が収容された機械室とに仕切られている。アキュームレータは、例えば機械室に収容されている。【０００３】
ここで、例えば機械室の小型化等の観点から、従来の空気調和機の室外機では、アキュームレータを筐体の下面部に直接設置せず、機械室の側壁を構成する部品にアキュームレータが固定される場合がある。例えば、特許文献１に記載の空気調和機の室外機においては、アキュームレータは、仕切板に固定されている。また、従来の空気調和機の室外機には、機械室に収容されたアキュームレータを熱交換器に固定する構成も存在する。
【先行技術文献】
【特許文献】
【０００４】
【特許文献１】特開２００９−８５４６５号公報
【発明の概要】
【発明が解決しようとする課題】
【０００５】
例えば空気調和機の高能力化等に伴い、室外機の熱交換器を大型化する場合がある。このような場合、室外機の熱交換器は、熱交換器の製造上の制約により、上下方向に配置された２つの熱交換器で構成されることがある。すなわち、室外機の熱交換器は、下側熱交換器と、該下側熱交換器の上方に配置された上側熱交換器とで構成される場合がある。このように上側熱交換器及び下側熱交換器で構成された熱交換器に従来の構成でアキュームレータを固定しようとした場合、上側熱交換器又は下側熱交換器の一方に、機械室に収容されたアキュームレータを固定することとなる。【０００６】
アキュームレータは、空気調和機の冷媒回路内を循環する冷媒量に対応して、すなわち室外機の熱交換器の大きさに対応して大きくなる。運転中に発生する可能性がある余剰冷媒の最大量が多くなるからである。このため、上側熱交換器及び下側熱交換器を備えた空気調和機の室外機に搭載されるアキュームレータは、大型のものとなり、重量が大きくなる。したがって、このような重量の大きなアキュームレータを従来の構成で熱交換器に固定した場合、以下の課題が発生する。【０００７】
上述のように、上側熱交換器及び下側熱交換器を備えた空気調和機の室外機において、機械室に収容されたアキュームレータを従来の構成で熱交換器に固定しようとした場合、上側熱交換器又は下側熱交換器の一方にアキュームレータを固定することとなる。このため、アキュームレータの重量は、上側熱交換器又は下側熱交換器の一方のみで支持されることとなる。また、空気調和機の輸送時及び運転時に発生するアキュームレータの振動は、上側熱交換器又は下側熱交換器の一方のみに作用することとなる。したがって、上側熱交換器及び下側熱交換器を備えた空気調和機の室外機において、機械室に収容されたアキュームレータを従来の構成で熱交換器に固定しようとした場合、上側熱交換器及び下側熱交換器のうちのアキュームレータが固定されている側の熱交換器が損傷してしまうという場合があるという課題があった。【０００８】
本発明は、上述の課題を解決するためになされたものであり、上側熱交換器及び下側熱交換器を備えた熱交換器にアキュームレータを固定しても、上側熱交換器及び下側熱交換器の損傷を抑制することができる空気調和機の室外機を得ることを目的とする。
【課題を解決するための手段】
【０００９】
本発明に係る空気調和機の室外機は、上下方向に配置された上側熱交換器及び下側熱交換器を有する熱交換器と、冷媒を貯留するアキュームレータと、前記熱交換器を収容する送風室と、前記アキュームレータを収容する機械室とに、内部が仕切板で仕切られた筐体と、前記熱交換器及び前記アキュームレータに固定され、前記アキュームレータを前記熱交換器に固定する固定部品と、を備え、前記固定部品は、前記上側熱交換器及び前記下側熱交換器の双方に固定されている。
【発明の効果】
【００１０】
本発明に係る空気調和機の室外機においては、固定部品により、機械室に収容されたアキュームレータを上側熱交換器及び下側熱交換器の双方に固定している。このため、本発明に係る空気調和機の室外機は、上側熱交換器又は下側熱交換器の一方のみでアキュームレータが支持されることを抑制できる。また、本発明に係る空気調和機の室外機においては、空気調和機の輸送時及び運転時に発生するアキュームレータの振動が上側熱交換器又は下側熱交換器の一方のみに作用することを抑制できる。したがって、本発明に係る空気調和機の室外機は、上側熱交換器及び下側熱交換器の損傷を抑制することができる。
【図面の簡単な説明】
【００１１】
【図１】本発明の実施の形態に係る空気調和機の室外機を前方から見た斜視図である。
【図２】本発明の実施の形態に係る空気調和機の室外機を後方から見た斜視図である。
【図３】本発明の実施の形態に係る空気調和機の室外機の熱交換器を前方から見た分解斜視図である。
【図４】本発明の実施の形態に係る空気調和機の室外機の横断面図である。
【図５】本発明の実施の形態に係る空気調和機の室外機のアキュームレータを示す斜視図である。
【図６】本発明の実施の形態に係る空気調和機の室外機における熱交換器とアキュームレータとの固定箇所周辺を示す正面図である。
【図７】本発明の実施の形態に係る空気調和機の室外機における熱交換器とアキュームレータとの固定箇所周辺を示す平面図である。
【図８】図６において仕切板を非表示とした図である。
【図９】本発明の実施の形態に係る空気調和機の室外機における第１固定部品を示す斜視図である。
【図１０】本発明の実施の形態に係る空気調和機の室外機における第２固定部品を示す斜視図である。
【発明を実施するための形態】
【００１２】
図１は、本発明の実施の形態に係る空気調和機の室外機を前方から見た斜視図である。図２は、本発明の実施の形態に係る空気調和機の室外機を後方から見た斜視図である。図３は、本発明の実施の形態に係る空気調和機の室外機の熱交換器を前方から見た分解斜視図である。図４は、本発明の実施の形態に係る空気調和機の室外機の横断面図である。なお、図４は、後述する下側熱交換器４０の位置で室外機１を横方向に切断し、上方から観察した図となっている。
【００１３】
空気調和機の室外機１は、例えば略直方体の筐体１０を備えている。筐体１０には、前面部に吹出口１５が形成されている。なお、本実施の形態では、２つの吹出口１５が形成されている。そして、筐体１０内には、各吹出口１５と対向するように、２つの室外ファン３が収容されている。２つの室外ファン３は、例えばプロペラファンである。２つの室外ファン３のうちの一方の回転軸の高さ方向の位置は、後述する上側熱交換器３０の高さ方向の中心と略同位置となっている。２つの室外ファン３のうちの他方の回転軸の高さ方向の位置は、後述する下側熱交換器４０の高さ方向の中心と略同位置となっている。
【００１４】
また、筐体１０には、吸込口１４も形成されている。そして、筐体１０内には、吸込口１４と対向するように、熱交換器２０が収容されている。なお、本実施の形態では、吸込口１４として、吸込口１４ａ及び吸込口１４ｂが形成されている。吸込口１４ａは、筐体１０の背面部に形成されている。吸込口１４ｂは、筐体１０の側面部に形成されている。このため、吸込口１４と対向するように配置されている熱交換器２０は、平面視略Ｌ字形状となっている。すなわち、室外ファン３が駆動すると、吸込口１４から室外空気が筐体１０内に吸い込まれる。そして、筐体１０内に吸い込まれた室外空気は、熱交換器２０を通った後、吹出口１５から筐体１０の外部へ吹き出される。
【００１５】
本実施の形態に係る熱交換器２０は、筐体１０の下面部を構成する底板１６上に設けられた下側熱交換器４０と、該下側熱交換器４０の上方に設けられた上側熱交換器３０とを備えている。すなわち、熱交換器２０は、上下方向に配置された上側熱交換器３０及び下側熱交換器４０を備えている。なお、上側熱交換器３０及び下側熱交換器４０の種類は特に限定されないが、本実施の形態では、上側熱交換器３０及び下側熱交換器４０はフィンアンドチューブ型の熱交換器となっている。
【００１６】
詳しくは、上側熱交換器３０は、室外ファン３の駆動時に筐体１０内を流れる空気の流れ方向に沿って並設された複数の上側熱交換部３５を備えている。また、各上側熱交換部３５は、横方向に規定の間隔を空けて並設された複数の伝熱フィン３２と、これら伝熱フィン３２の並設方向にこれら伝熱フィン３２を貫通する複数の伝熱管３３とを備えている。また、各伝熱管３３の端部は、例えばＵ字状の接続配管３４で接続されている。そして、上側熱交換器３０は、後述する機械室１３側の端部に、各上側熱交換部３５を接続する端板３１を備えている。より詳しくは、端板３１は、各上側熱交換部３５における最も機械室１３側に配置された伝熱フィン３２と対向するように配置されている。なお、上側熱交換器３０は、１つの上側熱交換部３５で構成されていてもよい。
ここで、端板３１が、本発明の第１端板に相当する。
【００１７】
同様に、下側熱交換器４０は、室外ファン３の駆動時に筐体１０内を流れる空気の流れ方向に沿って並設された複数の下側熱交換部４５を備えている。また、各下側熱交換部４５は、横方向に規定の間隔を空けて並設された複数の伝熱フィン４２と、これら伝熱フィン４２の並設方向にこれら伝熱フィン４２を貫通する複数の伝熱管４３とを備えている。また、各伝熱管４３の端部は、例えばＵ字状の接続配管４４で接続されている。そして、下側熱交換器４０は、後述する機械室１３側の端部に、各下側熱交換部４５を接続する端板４１を備えている。より詳しくは、端板４１は、各下側熱交換部４５における最も機械室１３側に配置された伝熱フィン４２と対向するように配置されている。なお、下側熱交換器４０は、１つの下側熱交換部４５で構成されていてもよい。
ここで、端板４１が、本発明の第２端板に相当する。
【００１８】
筐体１０の内部を詳細に説明すると、図４に示す様に、筐体１０の内部は、仕切板１１によって、送風室１２と機械室１３とに仕切られている。そして、送風室１２には、上述の熱交換器２０及び室外ファン３が収容されている。すなわち、吸込口１４及び吹出口１５は、筐体１０のうちの送風室１２を構成する部分に形成されている。また、機械室１３には、余剰冷媒を貯留するアキュームレータ５０が収容されている。また、本実施の形態では、機械室１３に、圧縮機２も収容されている。なお、本実施の形態においては、仕切板１１の後ろ側端部は、上側熱交換器３０の端板３１及び下側熱交換器４０の端板４１に、例えばネジ止めによって固定されている。すなわち、上側熱交換器３０の端板３１及び下側熱交換器４０の端板４１は、仕切板１１と共に、送風室１２と機械室１３とを仕切る機能を担っている。
【００１９】
ここで、本実施の形態に係る室外機１においては、機械室１３に収容されているアキュームレータ５０は、固定部品６０によって、熱交換器２０に固定されている。以下、アキュームレータ５０の熱交換器２０への固定構造の詳細について説明する。
【００２０】
図５は、本発明の実施の形態に係る空気調和機の室外機のアキュームレータを示す斜視図である。図６は、本発明の実施の形態に係る空気調和機の室外機における熱交換器とアキュームレータとの固定箇所周辺を示す正面図である。図７は、本発明の実施の形態に係る空気調和機の室外機における熱交換器とアキュームレータとの固定箇所周辺を示す平面図である。図８は、図６において仕切板を非表示とした図である。なお、図５には、アキュームレータ５０に加え、固定部品６０の一部を構成する第１固定部品７０、及び支持部品９０も図示されている。
【００２１】
図５に示すように、アキュームレータ５０は、例えば、上側蓋部品５１、筒部品５２、下側蓋部品５３、及び接続配管５４で構成されている。筒部品５２は、筒状の部品である。上側蓋部品５１は、アキュームレータ５０の上面部を構成する部品であり、筒部品５２の上部開口部を閉塞する部品である。下側蓋部品５３は、アキュームレータ５０の下面部を構成する部品であり、筒部品５２の下部開口部を閉塞する部品である。接続配管５４は、冷媒回路を構成する冷媒配管と接続される部品であり、アキュームレータ５０の内部と冷媒回路とを連通させる部品である。
【００２２】
図６〜図８に示すように、室外機１は、熱交換器２０及びアキュームレータ５０に固定された固定部品６０を備えている。すなわち、アキュームレータ５０は、固定部品６０によって熱交換器２０に固定されている。そして、固定部品６０は、上側熱交換器３０及び下側熱交換器４０の双方に固定されている。
【００２３】
本実施の形態では、アキュームレータ５０と固定部品６０とは、溶接によって固定されている。また、図８に示すように、固定部品６０と上側熱交換器３０とは、ネジ止めによって固定されている。詳しくは、固定部品６０には、雄ネジ８７が貫通する貫通孔８５が形成されている。貫通孔８５については、後述の図１０を参照願いたい。一方、上側熱交換器３０の端板３１には、雄ネジ８７がねじ込まれる雌ネジが形成されている。そして、固定部品６０の貫通孔８５に貫通した雄ネジ８７を上側熱交換器３０の端板３１の雌ネジにねじ込むことにより、固定部品６０と上側熱交換器３０とが固定される。
【００２４】
同様に、図８に示すように、固定部品６０と下側熱交換器４０とは、ネジ止めによって固定されている。詳しくは、固定部品６０には、雄ネジ８８が貫通する貫通孔８６が形成されている。貫通孔８６については、後述の図１０を参照願いたい。一方、下側熱交換器４０の端板４１には、雄ネジ８８がねじ込まれる雌ネジが形成されている。そして、固定部品６０の貫通孔８６に貫通した雄ネジ８８を下側熱交換器４０の端板４１の雌ネジにねじ込むことにより、固定部品６０と下側熱交換器４０とが固定される。
【００２５】
このように固定部品６０を上側熱交換器３０及び下側熱交換器４０の双方に固定することにより、機械室１３に収容されたアキュームレータ５０は、上側熱交換器３０及び下側熱交換器４０の双方に固定されることとなる。このため、このように固定部品６０を上側熱交換器３０及び下側熱交換器４０の双方に固定することにより、上側熱交換器３０又は下側熱交換器４０の一方のみでアキュームレータ５０が支持されることを抑制できる。また、このように固定部品６０を上側熱交換器３０及び下側熱交換器４０の双方に固定することにより、空気調和機の輸送時及び運転時に発生するアキュームレータ５０の振動が上側熱交換器３０又は下側熱交換器４０の一方のみに作用することを抑制できる。したがって、このように固定部品６０を上側熱交換器３０及び下側熱交換器４０の双方に固定することにより、上側熱交換器３０及び下側熱交換器４０の損傷を抑制することができる。
【００２６】
ここで、図６及び図７に示すように、本実施の形態に係る室外機１においては、上側熱交換器３０の端板３１と固定部品６０との間に、仕切板１１が挟み込まれる構成となっている。このため、仕切板１１には、雄ネジ８７が貫通する貫通孔が形成されている。しかしながら、図８に示すように、固定部品６０が固定されているのは、上側熱交換器３０の端板３１である。同様に、本実施の形態に係る室外機１においては、下側熱交換器４０の端板４１と固定部品６０との間に、仕切板１１が挟み込まれる構成となっている。このため、仕切板１１には、雄ネジ８８が貫通する貫通孔が形成されている。しかしながら、図８に示すように、固定部品６０が固定されているのは、下側熱交換器４０の端板４１である。
【００２７】
なお、アキュームレータ５０に対する固定部品６０の取り付け位置は、あくまでも一例である。機械室１３には、アキュームレータ５０とは異なる他の部品も収容される。このため、アキュームレータ５０と他の部品との干渉を避けるため、機械室１３に収容されている他の部品の位置に応じて、機械室１３内におけるアキュームレータ５０の配置位置も変化する。このため、アキュームレータ５０に対する固定部品６０の取り付け位置は、機械室１３に収容されている他の部品の位置に応じて異なることとなる。
【００２８】
また、上述した固定部品６０の上側熱交換器３０への固定構成も、あくまでも一例である。例えば、固定部品６０を上側熱交換器３０の端板３１に溶接する等、雄ネジ８７によるネジ止め以外の構成で、固定部品６０を上側熱交換器３０に固定してもよい。また例えば、上側熱交換器３０が端板３１以外に固定部品６０を固定できる部品を有している場合、当該部品に固定部品６０を固定してもよい。同様に、上述した固定部品６０の下側熱交換器４０への固定構成も、あくまでも一例である。例えば、固定部品６０を下側熱交換器４０の端板４１に溶接する等、雄ネジ８８によるネジ止め以外の構成で、固定部品６０を下側熱交換器４０に固定してもよい。また例えば、下側熱交換器４０が端板４１以外に固定部品６０を固定できる部品を有している場合、当該部品に固定部品６０を固定してもよい。
【００２９】
また、本実施の形態に係る室外機１は、支持部品９０を備え、該支持部品９０によってもアキュームレータ５０が支持されている。詳しくは、支持部品９０の下端部は、筐体１０の下面部を構成する底板１６に、例えばネジ止めにより固定されている。また、支持部品９０の上端部は、アキュームレータ５０の下面部を構成する下側蓋部品５３に、例えば溶接によって固定されている。支持部品９０によってアキュームレータ５０を下方から支持することにより、固定部品６０を介して上側熱交換器３０及び下側熱交換器４０にかかるアキュームレータ５０の荷重が低減する。このため、支持部品９０によってアキュームレータ５０を下方から支持することにより、上側熱交換器３０及び下側熱交換器４０の損傷をさらに抑制することができる。
【００３０】
続いて、固定部品６０の一例について説明する。固定部品６０は一体形成品としてもよいが、本実施の形態では、第１固定部品７０及び第２固定部品８０で固定部品６０を構成している。
【００３１】
図９は、本発明の実施の形態に係る空気調和機の室外機における第１固定部品を示す斜視図である。また、図１０は、本発明の実施の形態に係る空気調和機の室外機における第２固定部品を示す斜視図である。以下、これら図９及び図１０と、上述した図５〜図８を参照しながら、第１固定部品７０及び第２固定部品８０の詳細について説明する。
【００３２】
第１固定部品７０は、アキュームレータ５０に固定される部品である。この第１固定部品７０は、第１固定部７１と第２固定部７２とを備えている。第１固定部７１は、アキュームレータ５０に固定される板状部分である。本実施の形態では、第１固定部７１は、アキュームレータ５０の筒部品５２の外周面に固定される。このため、第１固定部７１は、筒部品５２の外周面に対応して、平面視で円弧状となっている。本実施の形態では、第１固定部７１は、溶接によりアキュームレータ５０に固定されている。
【００３３】
第２固定部７２は、第２固定部品８０と固定される板状部分である。本実施の形態では、雄ネジ７５によるネジ止めにより、第２固定部７２と第２固定部品８０とが固定される。このため、第２固定部７２には、雄ネジ７５がねじ込まれる雌ネジ７３が例えば複数形成されている。また、第２固定部７２には、第１固定部品７０と第２固定部品８０とを仮固定する際に後述の開口部８３に引っ掛ける爪部７４が形成されている。本実施の形態では、第２固定部７２は、第１固定部７１の一端から突出している。すなわち、第１固定部７１及び第２固定部７２により、第１固定部品７０は、平面視略Ｌ字状となっている。具体的には、板状部材を平面視略Ｌ字状に折り曲げて、第１固定部品７０を形成している。
【００３４】
第２固定部品８０は、第１固定部品７０と固定される板状部分である。また、第２固定部品８０は、上側熱交換器３０の端板３１及び下側熱交換器４０の端板４１に固定される部品である。この第２固定部品８０は、第３固定部８１と第４固定部８２とを備えている。第３固定部８１は、第１固定部品７０の第２固定部７２と、雄ネジ７５によるネジ止めにより固定される。このため、第３固定部８１には、雄ネジ７５が貫通する貫通孔８４が例えば複数形成されている。すなわち、貫通孔８４に貫通した雄ネジ７５を第１固定部品７０の第２固定部７２の雌ネジ７３にねじ込むことにより、第３固定部８１と第１固定部品７０の第２固定部７２とが固定される。また、第３固定部８１には、第１固定部品７０と第２固定部品８０とを仮固定する際に爪部７４が引っ掛けられる開口部８３が、形成されている。
【００３５】
第４固定部８２は、上側熱交換器３０の端板３１及び下側熱交換器４０の端板４１に固定される板状部分である。第４固定部８２には、雄ネジ８７が貫通する貫通孔８５が形成されている。そして、第４固定部８２の貫通孔８５に貫通した雄ネジ８７を上側熱交換器３０の端板３１の雌ネジにねじ込むことにより、第４固定部８２は、上側熱交換器３０の端板３１に固定される。また、第４固定部８２には、雄ネジ８８が貫通する貫通孔８６が形成されている。そして、第４固定部８２の貫通孔８６に貫通した雄ネジ８８を下側熱交換器４０の端板４１の雌ネジにねじ込むことにより、第４固定部８２は、下側熱交換器４０の端板４１に固定される。
【００３６】
本実施の形態では、第３固定部８１の一端は、連結部８０ａの一端に接続されている。そして、平面視において、第３固定部８１と連結部８０ａとは、略９０度傾いている。また、連結部８０ａの他端は、第４固定部８２の一端に接続されている。そして、平面視において、連結部８０ａと第４固定部８２とは、略９０度傾いている。すなわち、第３固定部８１、連結部８０ａ及び第４固定部８２により、第２固定部品８０は、平面視略Ｚ字状となっている。具体的には、板状部材を平面視略Ｚ字状に折り曲げて、第２固定部品８０を形成している。
【００３７】
アキュームレータ５０を製造する第１工場と、アキュームレータ５０を熱交換器２０に固定する第２工場とが、離れた場所に存在する場合がある。この場合、第１工場で製造されたアキュームレータ５０を、第２工場へ輸送する必要がある。ここで、アキュームレータ５０と固定部品６０との固定箇所には、アキュームレータ５０からの冷媒漏れを防止するため、気密性が求められる。本実施の形態においても、アキュームレータ５０と固定部品６０とは、アキュームレータ５０と固定部品６０との固定箇所の気密性を確保するため、溶接によって固定されている。このため、第１工場においてアキュームレータ５０に固定部品６０が固定され、固定部品６０が固定されたアキュームレータ５０が、第２工場へ輸送されることとなる。
【００３８】
したがって、アキュームレータ５０と固定部品６０とが固定された状態において、固定部品６０がアキュームレータ５０から大きく出っ張ると、アキュームレータ５０を輸送する際に必要な空間が大きくなってしまい、輸送コストの増大が懸念される。また、固定部品６０がアキュームレータ５０から大きく出っ張ると、アキュームレータ５０の輸送中に、固定部品６０の変形も懸念される。しかしながら、上述のように、第１固定部品７０及び第２固定部品８０で固定部品６０を構成することにより、固定部品６０の一部である第１固定部品７０をアキュームレータ５０に固定した状態で、第２工場へ輸送することができる。このため、第１固定部品７０及び第２固定部品８０で固定部品６０を構成することにより、アキュームレータ５０を輸送する際、固定部品６０がアキュームレータ５０から大きく出っ張ることを抑制できる。したがって、第１固定部品７０及び第２固定部品８０で固定部品６０を構成することにより、アキュームレータ５０の輸送コストの増大を抑制でき、固定部品６０の変形を抑制することができる。
【００３９】
続いて、アキュームレータ５０の固定手順について説明する。下側熱交換器４０が底板１６に設置され、上側熱交換器３０が下側熱交換器４０の上部に設置された状態で、アキュームレータ５０に固定されている支持部品９０を、例えばネジ止めにより底板１６に固定する。そして、アキュームレータ５０に固定されている第１固定部品７０の爪部７４を第２固定部品８０の開口部８３に引っ掛け、第１固定部品７０と第２固定部品８０とを仮固定する。そして、第１固定部品７０の雌ネジ７３と第２固定部品８０の貫通孔８４との位置合わせを行う。また、第２固定部品８０の貫通孔８５と上側熱交換器３０の端板３１の雌ネジとの位置合わせを行う。また、第２固定部品８０の貫通孔８６と下側熱交換器４０の端板４１の雌ネジとの位置合わせを行う。
【００４０】
その後、第２固定部品８０の貫通孔８４に貫通した雄ネジ７５を第１固定部品７０の第２固定部７２の雌ネジ７３にねじ込むことにより、第１固定部品７０と第２固定部品８０とが固定される。また、第４固定部８２の貫通孔８５に貫通した雄ネジ８７を上側熱交換器３０の端板３１の雌ネジにねじ込むことにより、第２固定部品８０と上側熱交換器３０の端板３１とが固定される。また、第４固定部８２の貫通孔８６に貫通した雄ネジ８８を下側熱交換器４０の端板４１の雌ネジにねじ込むことにより、第２固定部品８０と下側熱交換器４０の端板４１とが固定される。すなわち、アキュームレータ５０が、第１固定部品７０及び第２固定部品８０で構成された固定部品６０を介して、上側熱交換器３０の端板３１及び下側熱交換器４０の端板４１の双方に固定される。
【００４１】
以上、本実施の形態に係る空気調和機の室外機１は、熱交換器２０を備えている。熱交換器２０は、上下方向に配置された上側熱交換器３０及び下側熱交換器４０を有している。また、本実施の形態に係る空気調和機の室外機１は、冷媒を貯留するアキュームレータ５０を備えている。また、本実施の形態に係る空気調和機の室外機１は、熱交換器２０を収容する送風室１２と、アキュームレータ５０を収容する機械室１３とに、内部が仕切板１１で仕切られた筐体１０を備えている。また、本実施の形態に係る空気調和機の室外機１は、熱交換器２０及びアキュームレータ５０に固定され、アキュームレータ５０を熱交換器２０に固定する固定部品６０を備えている。そして、固定部品６０は、上側熱交換器３０及び下側熱交換器４０の双方に固定されている。
【００４２】
本実施の形態に係る空気調和機の室外機１においては、固定部品６０により、機械室１３に収容されたアキュームレータ５０を上側熱交換器３０及び下側熱交換器４０の双方に固定している。このため、本実施の形態に係る空気調和機の室外機１は、上側熱交換器３０又は下側熱交換器４０の一方のみでアキュームレータ５０が支持されることを抑制できる。また、本実施の形態に係る空気調和機の室外機１においては、空気調和機の輸送時及び運転時に発生するアキュームレータ５０の振動が上側熱交換器３０又は下側熱交換器４０の一方のみに作用することを抑制できる。したがって、本実施の形態に係る空気調和機の室外機１は、上側熱交換器３０及び下側熱交換器４０の損傷を抑制することができる。
【符号の説明】
【００４３】
１  室外機、２  圧縮機、３  室外ファン、１０  筐体、１１  仕切板、１２  送風室、１３  機械室、１４  吸込口、１４ａ  吸込口、１４ｂ  吸込口、１５  吹出口、１６  底板、２０  熱交換器、３０  上側熱交換器、３１  端板、３２  伝熱フィン、３３  伝熱管、３４  接続配管、３５  上側熱交換部、４０  下側熱交換器、４１  端板、４２  伝熱フィン、４３  伝熱管、４４  接続配管、４５  下側熱交換部、５０  アキュームレータ、５１  上側蓋部品、５２  筒部品、５３  下側蓋部品、５４  接続配管、６０  固定部品、７０  第１固定部品、７１  第１固定部、７２  第２固定部、７３  雌ネジ、７４  爪部、７５  雄ネジ、８０  第２固定部品、８０ａ  連結部、８１  第３固定部、８２  第４固定部、８３  開口部、８４  貫通孔、８５  貫通孔、８６  貫通孔、８７  雄ネジ、８８  雄ネジ、９０  支持部品。
【図１】
2019097614.tif 000003
【図２】
2019097614.tif 000004
【図３】
2019097614.tif 000005
【図４】
2019097614.tif 000006
【図５】
2019097614.tif 000007
【図６】
2019097614.tif 000008
【図７】
2019097614.tif 000009
【図８】
2019097614.tif 000010
【図９】
2019097614.tif 000011
【図１０】
2019097614.tif 000012
【国際調査報告】
2019097614.tif 000013
2019097614.tif 000014
2019097614.tif 000015
2019097614.tif 000016